(57)【要約】【課題】非接触ＩＣカードを用いて料金の収受を行なうための料金収受処理機において、複数の車両それぞれに対応する非接触ＩＣカードのうち特定のもので当該複数の車両についての料金まとめ払いを可能とすること。【解決手段】まとめ払い処理の旨を入力する操作入力部と、まとめ払い処理の対象となる非接触ＩＣカードを順次認知する認知部と、認知された非接触ＩＣカードのうちから支払いを行う非接触ＩＣカードを選択する選択部と、選択された非接触ＩＣカードからまとめ払い処理の対象となる非接触ＩＣカードすべてについての料金収受を行う料金収受処理部とを具備する。【選択図】図１
2005141597.tif 000002
【特許請求の範囲】
【請求項１】
まとめ払い処理の旨を入力する操作入力部と、
前記まとめ払い処理の対象となる非接触ＩＣカードを順次認知する認知部と、
前記認知された非接触ＩＣカードのうちから支払いを行う非接触ＩＣカードを選択する選択部と、
前記選択された非接触ＩＣカードから前記まとめ払い処理の対象となる前記非接触ＩＣカードすべてについての料金収受を行う料金収受処理部と
を具備することを特徴とする料金収受処理機。
【請求項２】
前記認知部が、前記まとめ払い処理の対象となる前記非接触ＩＣカードに保持された固有情報で前記まとめ払い処理の対象となる前記非接触ＩＣカードを認知することを特徴とする請求項１記載の料金収受処理機。
【請求項３】
前記選択部が、支払いを行う非接触ＩＣカードの前記選択において選択候補を提示するための提示部を有することを特徴とする請求項１記載の料金収受処理機。
【請求項４】
前記選択部が、最後に認知された非接触ＩＣカードを、常に、支払いを行う前記非接触ＩＣカードとして選択することを特徴とする請求項１記載の料金収受処理機。
【請求項５】
前記料金収受処理部が、前記料金収受を行うときに前記選択された非接触ＩＣカードに保持された前記固有情報を確認することを特徴とする請求項２記載の料金収受処理機。
【請求項６】
前記料金収受処理部が前記料金収受を行って不足が生じた場合にその旨を報知する報知部をさらに具備し、
前記料金収受処理部が、前記報知部が作動した場合に前記認知された非接触ＩＣカードのうち前記不足が生じたもの以外の非接触ＩＣカードを受け付けて該不足の分の料金収受を行うこと
を特徴とする請求項１記載の料金収受処理機。
【請求項７】
前記料金収受処理部が前記料金収受を行って不足が生じた場合にその旨を報知する報知部をさらに具備し、
前記料金収受処理部が、前記報知部が作動した場合に前記認知された非接触ＩＣカードのうち前記不足が生じたもの以外の非接触ＩＣカードを受け付けて該不足の分の料金収受を行うこと
を特徴とする請求項２記載の料金収受処理機。
【請求項８】
前記料金収受処理部が、前記不足の分の料金収受を行うときに前記認知された非接触ＩＣカードのうち前記不足が生じたもの以外の前記非接触ＩＣカードに保持された前記固有情報を確認することを特徴とする請求項７記載の料金収受処理機。
【請求項９】
前記認知部が、前記認知の返信として前記まとめ払い処理の対象となる前記非接触ＩＣカードそれぞれに額なしでの支払い完了の旨の情報を書き込み、
前記料金収受処理部が、前記料金収受の返信として前記選択された非接触ＩＣカードに書き込まれた額なしでの支払い完了の旨の前記情報を額ありでの支払い完了の旨の情報に書き換えること
を特徴とする請求項１記載の料金収受処理機。
【発明の詳細な説明】
【技術分野】
【０００１】
本発明は、非接触ＩＣカードを用いて料金の収受を行なうための料金収受処理機に係り、特に、複数の車両それぞれに対応する非接触ＩＣカードのうち特定のもので当該複数の車両についての料金まとめ払いが考慮された料金収受処理機に関する。
【背景技術】
【０００２】
自動車専用道などでの料金支払いのため従来の磁気カードに代わり非接触ＩＣカードの利用が考えられている。このような非接触ＩＣカードの一例として例えば特開平５−１２２９１号公報記載のものがある。この例では、非接触ＩＣカードは車内に設置されたカード読取り書込み装置を介して車線側の制御装置との通信を行う。また非接触ＩＣカードはクレジットタイプのいわゆるポストペイドカードである。
【０００３】
これに対して、車内にカード読取り書込み装置を設けることなく、かつカードタイプとしてプリペイド方式を採用したものを考えることもできる。例えば、カード読取り書込み装置が料金所などに備え付けられており、料金収受員または利用者がその装置にカードをかざして利用料金の収受を行わせる形態である。カードには必要に応じて専用装置を用いてあらかじめまとまった金額を収容（チャージ）しておくことができる。このような形態は利用者側の経済的負担が小さく有用と考えられる。
【特許文献１】特開平５−１２２９１号公報
【発明の開示】
【発明が解決しようとする課題】
【０００４】
カード読取り書込み装置が料金所に備え付けられており、かつカードタイプがプリペイドの場合、利用者のニーズとして、複数の車両それぞれに対応する非接触ＩＣカードのうち特定のもので当該複数の車両について料金まとめ払いを行う、というものが考えられる。ここで、非接触ＩＣカードが複数の車両それぞれに対応して保持されるのを前提とするのは、入口では各車両ごとに入口情報（入場インター名など）を対応する非接触ＩＣカードに記録しておくためである。上記ニーズは、例えばグループでの道路利用で支出の一元的管理が必要な場合などにおいて発生する。
【０００５】
本発明は、上記の事情を考慮してなされたもので、非接触ＩＣカードを用いて料金の収受を行なうための料金収受処理機において、複数の車両それぞれに対応する非接触ＩＣカードのうち特定のもので当該複数の車両についての料金まとめ払いを可能とする料金収受処理機を提供することを目的とする。
【課題を解決するための手段】
【０００６】
上記の課題を解決するため、本発明に係る料金収受処理機は、まとめ払い処理の旨を入力する操作入力部と、前記まとめ払い処理の対象となる非接触ＩＣカードを順次認知する認知部と、前記認知された非接触ＩＣカードのうちから支払いを行う非接触ＩＣカードを選択する選択部と、前記選択された非接触ＩＣカードから前記まとめ払い処理の対象となる前記非接触ＩＣカードすべてについての料金収受を行う料金収受処理部とを具備することを特徴とする。
【０００７】
すなわち、「まとめ払い処理」の旨を入力できるようにし、入力されたときには個々の非接触ＩＣカードでの料金収受がなされなくなる。その状態でまとめ払い対象となる非接触ＩＣカードを認知していき、認知された非接触ＩＣカードのうちから支払いを行うカードを所定の方法で選択する。選択により、その選択に係る非接触ＩＣカードから、まとめ払い処理の対象となる認知された非接触ＩＣカードすべてについての料金収受を行う。よって、複数の車両それぞれに対応する非接触ＩＣカードのうち特定のもので当該複数の車両についての料金まとめ払いが可能となる。なお、これはいわゆる対距離料金システムでも均一料金システムでも適用可能である。
【発明の効果】
【０００８】
本発明に係る料金収受処理機によれば、まとめ払い対象となる非接触ＩＣカードが認知され、認知された非接触ＩＣカードのうちから支払いを行うカードが選択されるので、複数の車両それぞれに対応する非接触ＩＣカードのうち特定のもので当該複数の車両についての料金まとめ払いが可能となる。
【発明を実施するための最良の形態】
【０００９】
本発明の実施態様として、前記認知部は、前記まとめ払い処理の対象となる前記非接触ＩＣカードに保持された固有情報で前記まとめ払い処理の対象となる前記非接触ＩＣカードを認知するようにしてもよい。固有情報を読み取り保持しておけば、読み取りのための路側装置との通信と、書き込みのための路側装置との通信とを離れた時間帯で行っても同一カードとして処理に誤りがなくなる。よって、支払いを、カード認知のあとで任意に選択されたカードで行う場合に向いている。なお、「路側装置」は、均一料金システムの入口に備え付けられる料金収受処理機であっても、対距離料金システムの出口に備え付けられる料金収受処理機であってもよい。これは以下でも同様である。
【００１０】
また、実施態様として、前記選択部は、支払いを行う非接触ＩＣカードの前記選択において選択候補を提示するための提示部を有するようにしてもよい。これも、支払いを、カード認知のあとで任意に選択されたカードで行う場合に向く態様である。
【００１１】
また、実施態様として、前記選択部は、最後に認知された非接触ＩＣカードを、常に、支払いを行う前記非接触ＩＣカードとして選択するようにしてもよい。このようにすると、支払いを行うカードを順序として最後に認知させれば、自動的にそのカードからまとめ払いの支払いがされより効率的な処理が可能である。最後であることを料金収受処理機に伝えるには、例えば最後のカードの認知の前にその旨の入力を行うようにすることが考えられる。また、最後のカードの認知の後にその旨を入力するようにしてもよいが、この場合には、支払いの書き込みを行うため再度最後のカードを料金収受処理機にかざす必要がでてくる。
【００１２】
また、実施態様として、前記料金収受処理部は、前記料金収受を行うときに前記選択された非接触ＩＣカードに保持された前記固有情報を確認するようにしてもよい。読み取りのための路側装置との通信と、書き込みのための路側装置との通信とを離れた時間帯で行う場合に、認知で得られた固有情報で、支払いを行うカードの固有情報が一致するかどうかを確認するものである。
【００１３】
また、実施態様としての料金収受処理機は、前記料金収受処理部が前記料金収受を行って不足が生じた場合にその旨を報知する報知部をさらに具備し、前記料金収受処理部が、前記報知部が作動した場合に前記認知された非接触ＩＣカードのうち前記不足が生じたもの以外の非接触ＩＣカードを受け付けて該不足の分の料金収受を行うように構成されてもよい。料金収受処理部が料金収受を行って不足が生じた場合には、一般的には現金での支払いを行えばよいが、利用者の要請により選択された以外のカードで不足分を支払いたい場合もあり得る。そこで、最初に選択されたカード以外のカードを受け付け不足分を収受するものである。
【００１４】
また、ここで、前記料金収受処理部は、前記不足の分の料金収受を行うときに前記認知された非接触ＩＣカードのうち前記不足が生じたもの以外の前記非接触ＩＣカードに保持された前記固有情報を確認するようにしてもよい。認知で得られた固有情報に、不足分の支払いを行うカードの固有情報が一致するかどうかを確認するものである。
【００１５】
また、実施態様として、前記認知部は、前記認知の返信として前記まとめ払い処理の対象となる前記非接触ＩＣカードそれぞれに額なしでの支払い完了の旨の情報を書き込み、前記料金収受処理部は、前記料金収受の返信として前記選択された非接触ＩＣカードに書き込まれた額なしでの支払い完了の旨の前記情報を額ありでの支払い完了の旨の情報に書き換えるようにしてもよい。読み取りのための路側装置との通信と、書き込みのための路側装置との通信とを離れた時間帯で行う場合に、効率的に処理を行うため、必要な情報の書き込みをも読み取りの時間帯で行うものである。
【００１６】
以上を踏まえ、以下では本発明の実施形態を図面を参照しながら説明する。図１は、本発明の一実施形態に係る料金収受処理機を含めた料金収受システムに必要な各構成要素の内部構成を示すブロック図である。この実施形態では対距離料金システムに適用する場合について説明するが、均一料金システムに対しても適用可能である。
【００１７】
図１（ａ）は、対距離料金システムの入口を示している。入口機器１０は、縁石１９から車線側に向けて非接触ＩＣカード３０用の電磁波を放射するように備え付けられている。入口機器１０には、通信部１１、入口情報保持部１２が最低限備えられる。入口機器１０と非接触で通信する非接触ＩＣカード３０には、固有情報保持部３１、入口情報保持部３２、車種情報保持部３３、出口情報保持部３４、制御部３５、アンテナ３６、残額情報保持部３７が設けられる。
【００１８】
入口機器１０の通信部１１は、非接触ＩＣカード３０に向けてごく限られた空間に電磁波を照射し、また非接触ＩＣカード３０から発せられる電磁波を検知・受信するものである。照射する電磁波、検知する電磁波には必要に応じて通信情報が重畳されている。入口情報保持部１２は、入口情報を保持する記憶領域である。入口情報は、例えばインター名、入場時刻などであり、通信部１１を介して非接触ＩＣカード３０側に送信される。なお、通常いわれる入口情報には車種情報が含まれる場合があるが、その場合には、入口機器１０は不図示の車種判別装置による車種判別結果を取得し車種情報として通信部１１を介し非接触ＩＣカード３０に向けて送信する。
【００１９】
非接触ＩＣカード３０の固有情報保持部３１は、この非接触ＩＣカード３０に固有の情報を保持しておく記憶領域である。固有情報は、書き換え不能に通常は保持され、制御部３５の制御のもとアンテナ３６を介して入口機器１０側に送信される。図では、送信された固有情報を入口機器１０側がどのように扱うのかについての構成が示されていないが、例えば道路事業者側がカード使用を管理する目的に使える。
【００２０】
入口情報保持部３２は、入口機器１０側から送信された入口情報を保持しておく記憶領域である。入口情報は、制御部３５の制御により読み書きされる。通常は、入口で書込まれ出口で読み出され（かつ消去され）る。履歴として蓄積記録するようにしてもよい。
【００２１】
車種情報保持部３３は、入口機器１０側から送信された車種情報を保持しておく記憶領域である。車種情報は、制御部３５の制御により読み書きされる。通常は、入口で書込まれ出口で読取られる。なお、この非接触ＩＣカード３０を車両に対応して固定的に使用するという形態で運用するならば、車種情報は、書き換え不能に保持されるようにしてもよい。この場合には入口での書き込みは不要である。
【００２２】
出口情報保持部３４は、後述する料金収受処理機２０（出口に設けられる）側から送信された出口情報を保持しておく記憶領域である。出口情報は、例えばインター名、退場時刻、収受料金などであり、制御部３５の制御により読み書きされる。通常は、出口で書込まれる。読み出しは利用者などが過去の退場出口、料金などを知りたい場合などに行う。履歴として蓄積記録するようにしてもよい。
【００２３】
残額情報保持部３７は、この非接触ＩＣカード３０が現在保持する残額を情報として記憶する領域である。残額情報は、制御部３５の制御により書き換えられる。通常は出口で引き去り書き換えられ、所定のチャージ装置（不図示）によりチャージすれば積み増し書き換えられる。
【００２４】
制御部３５は、アンテナ３６を介する入口機器１０や後述する料金収受処理機２０との情報通信を制御するものであり、必要に応じて上記の各保持部３１、３２、３３、３４、３７へアクセスを行う。
【００２５】
アンテナ３６は、入口機器１０や後述する料金収受処理機２０からの電磁波を感知してその情報を制御部３５に導きかつ制御部３５の制御処理の結果を入口機器１０や料金収受処理機２０に送信するものである。なお、入口機器１０や後述する料金収受処理機２０からの電磁波をアンテナ３６で受信しこれを電気エネルギに変換することで非接触ＩＣカード３０が消費する電力を賄うことができる。
【００２６】
図１（ｂ）は、対距離料金システムの出口を示している。図１（ａ）に示した構成要素と同じものには同一番号を付しその説明を省略する。この実施形態では、料金収受員が介在することを前提として説明する。料金収受処理機２０は、料金収受員のいるブース２９内に設けられ、非接触ＩＣカード２０が利用者から料金収受員に手渡されて料金収受を行う。料金収受処理機２０には、図示するように、操作入力部２１、認知部２２、選択部２３、料金収受処理部２４、通信部２５が設けられる。ここで選択部２３には提示部２３ａが付帯されている。
【００２７】
操作入力部２１は、少なくともまとめ払い処理の旨を入力可能なマンマシンインターフェースである。例えば、ボタン、タッチパネル、キーボードなどである。入力されたまとめ払い処理の旨は料金収受処理部２４にもたらされる。
【００２８】
認知部２２は、まとめ払い処理の対象となる非接触ＩＣカード３０を順次認知するものである。通信部２５を介して非接触ＩＣカード３０が保持する情報を取得してこのような認知を行う（詳しくは後述する）。認知された結果は選択部２３、料金収受処理部２４に送られる。また選択部２３からは選択の結果がもたらされ、これは料金収受処理部２４にも送られる。
【００２９】
選択部２３は、認知部２２で順次認知されたまとめ払い処理の対象となる非接触ＩＣカード３０の中から支払いを行う非接触ＩＣカード３０を選択するマンマシンインターフェースである。選択に際しての選択候補を提示する提示部２３ａ（具体的には例えばディスプレイ）が伴われている。なお、認知させる順序によって認知と同時に選択を指定するなどの工夫をすれば提示部２３ａは必ずしも必要ではない（詳しくは後述する）。
【００３０】
料金収受処理部２４は、操作入力部２１からもたらされたまとめ払い処理の旨により、認知部２２で認知された非接触ＩＣカード３０すべてについての料金収受を、選択部２３で選択された非接触ＩＣカード３０から行うべく処理するものである。
【００３１】
料金収受処理機２０の通信部２５は、非接触ＩＣカード３０に向けてごく限られた空間に電磁波を照射し、また非接触ＩＣカード３０から発せられる電磁波を検知・受信するものである。照射する電磁波、検知する電磁波には必要に応じて通信情報が重畳されている。
【００３２】
次に、上記構成を説明した料金収受システムの動作について図２ないし図４をも参照して説明する。まず、図２を参照し入口機器１０の動作を説明する。図２は、図１に示す料金収受システムにおける入口機器１０の動作フローを示す流れ図である。
【００３３】
利用者が非接触ＩＣカード３０を持参し対距離料金システムの入口でこれを入口機器１０の通信部１１にかざすと、通信部１１からの電磁波により非接触ＩＣカード３０に電源供給され、非接触ＩＣカード３０は使用対象のカードであることを示す信号（この信号については上記で説明していないが例えば制御部３５のはたらきとして出力することができる。）を出力する。入口機器１０はこの信号を例えば通信部１１で検知し（ステップ４１）、続いて入口情報（および車種情報）を非接触ＩＣカード３０に送信する（ステップ４２）。これにより非接触ＩＣカード３０に入口情報が保持される。
【００３４】
なお、実際にはもう少し通信方法が複雑になることもあり得るが（例えばアクナレジメント信号などの送受など）ここでは要点のみ説明する。また、すでに説明したように入口機器１０は非接触ＩＣカード３０から固有情報を取得してもよい。図２に示すような動作は、非接触ＩＣカード３０が入口機器１０の通信部１１にかざされるたびに行われる。これはあとでまとめ払い処理をするかしないかによって変わるところはない。
【００３５】
次に、図３を参照して料金収受処理機２０の動作を説明する。図３は、図１に示す料金収受システムにおける料金収受処理機２０の動作フローの一例を示す流れ図である。特に図３（ａ）はまとめ払い処理ではなく非接触ＩＣカード３０ごとの通常の料金収受の場合の動作を、図３（ｂ）はまとめ払い処理による料金収受の場合の動作をそれぞれ示す。
【００３６】
図３（ａ）に示すように、個々の非接触ＩＣカード３０による料金収受は、非接触ＩＣカード３０が料金収受処理機２０にかざされて通信部２５からの電磁波により非接触ＩＣカード３０に電源供給され、非接触ＩＣカード３０から使用対象のカードであることを示す信号が発せられるところから始まる。信号が発せられると料金収受処理機２０の例えば通信部２５はこれを検知する（ステップ５１）。
【００３７】
これにより通信が続き、料金収受処理機２０は、非接触ＩＣカード３０から入口情報（および車種情報）、残額情報を取得する。ここで、車種情報については不図示の車種判別装置からの判別結果を得るようにし、これを料金計算に用いるようにしてもよい。料金計算は、入口情報、車種情報により行うことができる。計算された料金と残額情報とから新たな（すなわち引き去り後の）残額情報を生成する。そして新たな残額情報を非接触ＩＣカード３０に送信する。また、入口情報消去の旨および出口情報を非接触ＩＣカード３０に送信する（以上ステップ５２）。これにより、料金収受が完了する。ステップ５１からステップ５２は一連の流れとしてほぼ瞬時に行われる。なお、非接触ＩＣカード３０の固有情報の取得は、例えば道路事業者側がカード使用を管理するためである。
【００３８】
これに対して、まとめ払い処理の場合は以下のようになる。まず、まとめ払い処理の対象となる複数の非接触ＩＣカード３０は、利用者からまとめて料金収受員に手渡される。料金収受員は、まとめ払い処理の旨を操作入力部２１から入力する（ステップ６１）。続いて、非接触ＩＣカード３０を１枚だけ料金収受処理機２０にかざすと、通信部２５からの電磁波により非接触ＩＣカード３０に電源供給され、非接触ＩＣカード３０から使用対象のカードであることの信号が発せられるので、料金収受処理機２０の例えば通信部２５はこれを検知する（ステップ６２）。
【００３９】
これにより通信が続き、料金収受処理機２０は、非接触ＩＣカード３０から入口情報（および車種情報）、残額情報を取得する。ここで、車種情報については不図示の車種判別装置からの判別結果を得るようにし、これを料金計算に用いるようにしてもよい。料金計算は、入口情報、車種情報により行うことができる。そして入口情報消去の旨および出口情報（支払い完了ただし額なし）を非接触ＩＣカード３０に送信する。また、非接触ＩＣカード接触３０の固有情報を取得しておく。これはあとで利用する。以上の処理に伴い、料金収受処理機２０はこの非接触ＩＣカード３０をまとめ払いの選択候補して提示部２３ａに提示する。これにより、１枚の非接触ＩＣカード３０についての認知が終了する（以上ステップ６３）。
【００４０】
次に、選択部２３からの選択がなく別の非接触ＩＣカード３０から信号を料金収受処理機２０が検知した場合には（ステップ６４の「信号検知」：すなわち別の非接触ＩＣカード３０が料金収受処理機２０にかざされた場合）、以上説明のステップ６３と同様にしてその別の非接触ＩＣカード３０について通信が続きその認知などを行う。認知を行うたび提示部２３ａに提示される非接触ＩＣカード３０は増える。
【００４１】
提示部２３ａに選択候補が示された状態で選択部２３から料金収受員により選択がされた場合には（ステップ６４の「選択あり」）、次のステップ６５に移行する。ステップ６５では、選択された非接触ＩＣカード３０が再び料金収受処理機２０にかざされるのを待つ状態となる。ここで非接触ＩＣカード３０がかざされると、これとの通信を行い取得した固有情報をあらかじめ取得してあった固有情報と比較することにより選択された非接触ＩＣカード３０であるかどうかを判断する（ステップ６５）。選択された非接触ＩＣカード３０でない場合には、例えば提示部２３ａ上に警告を発し（ステップ６６）選択された非接触ＩＣカード３０がかざされるのを待つ。
【００４２】
選択された非接触ＩＣカード３０である場合には（ステップ６５のＹ）、あらかじめ認知してあった非接触ＩＣカード３０の料金の合計を計算し、計算された合計料金と選択された非接触ＩＣカード３０の残額情報とから新たな（すなわち引き去り後の）残額情報を生成する。そして新たな残額情報を選択された非接触ＩＣカード３０に送信する。また、出口情報を「額あり」に書き換えるための情報を送信する（以上ステップ６７）。以上で一応料金収受が終了する。
【００４３】
ここで、もとの残額が合計料金より少ない場合には、支払い額が不足することになる。この場合には（ステップ６８のＹ）、報知部としての例えば提示部２３ａ上に警告を発して終了する。不足分は例えば現金での収受とすることができる。また、現金収受に代えて、料金収受処理機２０が、認知されたうちの別の非接触ＩＣカード３０を受け付けて処理を行いその残額から引き去るようにしてもよい。この場合にもその別の非接触ＩＣカード３０の出口情報を引き去られた分に相当する「額あり」に書き換える。また、別の非接触ＩＣカード３０を受け付ける際に通信により取得した固有情報をあらかじめ取得してあった固有情報と比較して認知してあった非接触ＩＣカード３０であるかどうか判断し、そうでない場合には提示部２３ａ上に警告を発するようにしてもよい。
【００４４】
以上説明のように動作する料金収受処理機２０によれば、まとめ払い対象となる非接触ＩＣカード３０が順次認知され、認知された非接触ＩＣカード３０のうちから支払いを行う非接触ＩＣカード３０が選択され、これにより、複数の車両それぞれに対応する非接触ＩＣカード３０のうち特定のもので当該複数の車両について料金まとめ払いを行うという形態が実現する。
【００４５】
図４は、図１に示す料金収受システムにおける料金収受処理機２０の動作フローの他の例を示す流れ図である。図４では、まとめ払い処理でない場合の処理については図３（ａ）と同様なので記載を省略してある。この例では、まとめ払い処理の効率を多少向上させる。すなわち、図３（ｂ）に示した例では、まとめ払い処理の対象となる非接触ＩＣカード３０がｎ枚である場合には、通常、非接触ＩＣカード３０を料金収受処理機２０にかざす回数は合計ｎ＋１回である。＋１は選択されたあと引き去り処理を行う非接触ＩＣカード３０をもう一度かざすためである。以下述べる例は、かざす回数の合計を非接触ＩＣカード３０の枚数と同じｎ回にする。
【００４６】
まず、図４において、ステップ７１、ステップ７２については、図３（ｂ）に示した場合のステップ６１、ステップ６２とそれぞれ同じである。これにより引き続く通信であるステップ７３もステップ６３とほぼ同じである。ただし、非接触ＩＣカード３０の固有情報を取得しなくてもよいとする場合も考えられる。また、選択候補の提示部２３ａへの提示は行わない。この意味での提示部２３ａは不要である。以上により１枚の非接触ＩＣカード３０の認知がなされる。
【００４７】
次に、別の非接触ＩＣカード３０から信号を料金収受処理機２０が検知した場合には（ステップ７４の「信号検知」：すなわち別の非接触ＩＣカード３０が料金収受処理機２０にかざされた場合）、以上と同様にしてその別の非接触ＩＣカード３０について通信が続きその認知を行う。
【００４８】
ステップ７４において料金収受員により最後の非接触ＩＣカード３０であることの指定選択がされた場合には（ステップ７４の「指定選択あり」）、ステップ７５に移行する。すなわち、この例では、最後の非接触ＩＣカード３０を料金収受処理機２０にかざす前に必ず最後であることを指定選択し、この選択された非接触ＩＣカード３０から料金の合計を引き去るように意図したものである。
【００４９】
ステップ７５では、最後の非接触ＩＣカード３０が料金収受処理機２０にかざされるのを待つ。ここで非接触ＩＣカード３０がかざされその信号が料金収受処理機２０に検知されると、これにより通信が引き続き、以下の処理を行う。
【００５０】
すなわち、料金収受処理機２０は、非接触ＩＣカード３０から入口情報（および車種情報）、残額情報を取得する。また、入力情報消去の旨を非接触ＩＣカード３０に送信する。そして、上記で認知した非接触ＩＣカード３０についての料金を含めた合計料金を計算し、計算された合計料金とここでの非接触ＩＣカード３０の残額情報とから新たな（すなわち引き去り後の）残額情報を生成する。さらに新たな残額情報および出口情報（支払い完了ただし額あり）を非接触ＩＣカード３０に送信する（以上ステップ７６）。このステップは、すなわち、認知と引き去り処理とが時間を隔てることなく生じている。以上で一応料金収受が終了する。
【００５１】
ただし、この例の場合も、もとの残額が合計料金より少ない場合には、支払い額が不足することになる。そのときには（ステップ７７のＹ）、報知部としての例えば提示部２３ａ上に警告を発して終了するようにしてもよい。不足分は例えば現金での収受とすることができる。
【００５２】
また、現金収受に代えて、料金収受処理機２０が、認知された別の非接触ＩＣカード３０を受け付けて処理を行いその残額から引き去るようにしてもよい。この場合にもその出口情報を引き去られた分に相当する「額あり」に書き換える。また、別の非接触ＩＣカード３０を受け付ける際に通信により取得した固有情報をあらかじめ取得してあった固有情報（ステップ７３で固有情報を取得した場合のその情報）と比較して認知された非接触ＩＣカード３０であるかどうか判断し、そうでない場合には提示部２３ａ上に警告を発するようにしてもよい。
【００５３】
以上説明のように動作する料金収受処理機２０によれば、まとめ払い対象となる非接触ＩＣカード３０が順次認知され、認知された非接触ＩＣカード３０のうちから支払いを行う非接触ＩＣカード３０が最後の認知により選択され、これにより、複数の車両それぞれに対応する非接触ＩＣカード３０のうち特定のもので当該複数の車両について料金まとめ払いを行うという形態が実現する。
【００５４】
なお、この例で、最後の認知のあとに操作入力部２１から最後である旨の指定選択を入力するようにしてもよい。このようにすると、最後認知の非接触ＩＣカード２０からの引き去り処理のため再度これを料金収受処理機２０にかざす必要があるため、図３（ｂ）に示した場合と同様程度の処理効率となる。
【図面の簡単な説明】
【００５５】
【図１】本発明の一実施形態に係る料金収受処理機を含めた料金収受システムに必要な各構成要素の内部構成を示すブロック図。
【図２】図１に示す料金収受システムにおける入口機器１０の動作フローを示す流れ図。
【図３】図１に示す料金収受システムにおける料金収受処理機２０の動作フローの一例を示す流れ図。
【図４】図１に示す料金収受システムにおける料金収受処理機２０の動作フローの別の例を示す流れ図。
【符号の説明】
【００５６】
１０…入口機器、１１…通信部、１２…入口情報保持部、１９…縁石、２０…料金収受処理機、２１…操作入力部、２２…認知部、２３…選択部、２３ａ…提示部、２４…料金収受処理部、２５…通信部、２９…ブース、３０…非接触ＩＣカード、３１…固有情報保持部、３２…入口情報保持部、３３…車種情報保持部、３４…出口情報保持部、３５…制御部、３６…アンテナ、３７…残額情報保持部。
【図１】
2005141597.tif 000003
【図２】
2005141597.tif 000004
【図３】
2005141597.tif 000005
【図４】
2005141597.tif 000006